(57)【要約】【課題】  軽量化及び低コスト化を図ることができると共に、作動音の発生を確実に防止することができる小型モータを提供する。【解決手段】  モータケース２と、モータケース２に結合され、出力軸１５を回転自在に支持したギヤケース５と、ブラシ１７を保持し、ギヤケース５に装着されるブラシホルダ３０，３０′とを備え、ギヤケースにブラシホルダを出力軸の軸方向より圧入する各凹状のブラシホルダ装着部７，７′を一体形成した小型モータ１において、ブラシホルダ３０，３０′を、ブラシ１７を収容すると共に、凹状のブラシホルダ装着部７，７′内に圧入される合成樹脂製で各略箱状のブラシホルダ本体３１，３１と、各ブラシホルダ本体３１，３１の後側開口部を覆うように着脱自在に取り付けられると共に、ブラシ１７に一体成形されたピグテイル１８が接続される金属板状の接続端子３９，３９′とで構成した。【選択図】      図３
2006211857.tif 000002
【特許請求の範囲】
【請求項１】
通電により回転するアーマチュアを収容したモータケースと、このモータケースに結合され、かつ前記アーマチュアの回転が減速機構を介して伝達される出力軸を回転自在に支持したギヤケースと、前記アーマチュアのアーマチュア軸に取り付けられたコンミュテータに通電するブラシを保持し、前記ギヤケースに装着されるブラシホルダとを備え、前記ギヤケースに前記ブラシホルダを前記出力軸の軸方向より圧入する凹状のブラシホルダ装着部を一体形成した小型モータにおいて、
前記ブラシホルダを、前記ブラシを収容すると共に、前記凹状のブラシホルダ装着部内に圧入される合成樹脂製で略箱状のブラシホルダ本体と、このブラシホルダ本体の後側開口部を覆うように着脱自在に取り付けられると共に、前記ブラシに一体成形されたピグテイルが接続される金属板状の接続端子とで構成し、前記ブラシホルダ本体の相対向する一対の側壁に前記ブラシホルダ装着部内への圧入用の凸部をそれぞれ一体形成したことを特徴とする小型モータ。
【請求項２】
請求項１記載の小型モータであって、
前記ブラシホルダ本体の相対向する一対の側壁の各外面の前記ブラシより上側に前記ブラシホルダ装着部内への圧入用の凸部をそれぞれ一体形成すると共に、該各側壁の該凸部の下側にスリットをそれぞれ形成したことを特徴とする小型モータ。
【請求項３】
請求項１記載の小型モータであって、
前記ブラシホルダ本体の相対向する一対の側壁の各内面に係止突起をそれぞれ一体形成し、この各係止突起に対向する前記接続端子に該各係止突起に係止されるフック部を突設したことを特徴とする小型モータ。
【請求項４】
請求項１記載の小型モータであって、
前記接続端子の一側部に前記ブラシホルダ本体より外側に延びる延長部を設け、この延長部を前記凹状のブラシホルダ装着部に設けた切欠部に挿入自在にすると共に、該延長部には、この該切欠部に対向する位置に該切欠部への圧入用の凸部を形成したことを特徴とする小型モータ。
【発明の詳細な説明】
【技術分野】
【０００１】
本発明は、ブラシを保持するブラシホルダをギヤケースのブラシホルダ装着部に直接取り付けた小型モータに関する。
【背景技術】
【０００２】
この種の小型モータとして、図１９〜図２８に示す減速機構付のものがある（例えば、特許文献１参照）。
【０００３】
この小型モータ１は、図１９〜図２１に示すように、一端側が開口した金属製で略円筒状のヨーク（モータケース）２と、このヨーク２の開口端２ａの周りのフランジ部２ｂにビス２ｅを介して締結固定された合成樹脂製のギヤケース５とを備えている。
【０００４】
図１９に示すように、ヨーク２の内周面２ｃには一対のマグネット３，３を接着剤等を介して固着してある。そして、ヨーク２の他端の有底筒部２ｄに嵌合された軸受４ａと、ギヤケース５の軸穴６の両端近傍に嵌合された軸受４ｂ，４ｃとでアーマチュア軸１１を回転自在に支持してある。
【０００５】
アーマチュア軸１１は、その先端１１ａの近傍にウォーム１２を形成してある。また、アーマチュア軸１１の一対のマグネット３，３に対向する位置にはアーマチュア１０を取り付けてある。このアーマチュア１０は、アーマチュア軸１１の基端１１ｂの近傍に固定され、所定のスロット数のコイル巻回部を持つアーマチュアコア１０ａと、このアーマチュアコア１０ａのコイル巻回部に巻き回されたアーマチュアコイル１０ｂとで構成されている。
【０００６】
また、アーマチュア軸１１のヨーク２とギヤケース５との境部分に対向する位置には、コンミュテータ１３を固定してある。このコンミュテータ１３はアーマチュアコア１０ａのコイル巻回部と同数のコンミュテータ片１３ａを備えていて、このコンミュテータ１３の各コンミュテータ片１３ａとアーマチュア１０のアーマチュアコイル１０ｂとは電気的にそれぞれ接続されている。さらに、ギヤケース５の軸穴６の開口端は大径穴部６ａとなっており、この大径穴部６ａのコンミュテータ１３に対向する位置には一対の凹状のブラシホルダ装着部７，７′を一体形成してある。この各凹状のブラシホルダ装着部７，７′内及び各切欠部８，８′には、ブラシ１７を保持した真鍮等の金属製の各ブラシホルダ２０，２０′を圧入により装着してある。
【０００７】
さらに、図１９〜図２０に示すように、ギヤケース５の軸穴６には凹状の減速機構収納部９を該軸穴６に連通するように形成してある。この凹状の減速機構収納部９内には、アーマチュア軸１１のウォーム１２に噛合するホイールギヤ１４を軸受１６を介して回転自在に支持してある。これらウォーム１２とホイールギヤ１４とで減速機構Ｓが構成されている。また、ホイールギヤ１４の中央には出力軸１５を一体突出形成してあり、この出力軸１５はギヤケース５から外側へ突出するようになっている。
【０００８】
図１９及び図２１〜図２５に示すように、一対のブラシホルダ２０，２０′のうちの一方のブラシホルダ２０は、ブラシ１７を収容する真鍮等の金属製のブラシボックス部２０ａと、このブラシボックス部２０ａの上部中央より垂直に折り曲げ形成され、ブラシ１７に一体成形されたピグテイル１８が接続される第１の接続端子片部２０ｂと、ブラシボックス部２０ａの後側開口部を覆うように該ブラシボックス部２０ａの一側端より折り曲げ形成された第２の接続端子片部２０ｃとを備えている。
【０００９】
そして、ギヤケース５の凹状のブラシホルダ装着部７内に一方のブラシホルダ２０のブラシボックス部２０ａを圧入により装着してあると共に、該ブラシホルダ２０の第２の接続端子片部２０ｃを切欠部８に圧入により装着してある。この際、第２の接続端子片部２０ｃの垂直に折り曲げされた先端部２０ｄが図示しない回路基板上の制御回路に接続されるようになっている。
【００１０】
図１９，図２１，図２２及び図２６〜図２８に示すように、一対のブラシホルダ２０，２０′のうちの他方のブラシホルダ２０′は、ブラシ１７を収容する真鍮等の金属製のブラシボックス部２０ａと、このブラシボックス部２０ａの上部中央より垂直に折り曲げ形成され、ブラシ１７に一体成形されたピグテイル１８が接続される第１の接続端子片部２０ｂと、ブラシボックス部２０ａの後側開口部を覆うように該ブラシボックス部２０ａの一側端より折り曲げ形成された第２の接続端子片部２０ｃ′とを備えている。この他方のブラシホルダ２０′の第２の接続端子片部２０ｃ′は一方のブラシホルダ２０の第２の接続端子片部２０ｃより短くなっている。
【００１１】
そして、ギヤケース５の凹状のブラシホルダ装着部７′内に他方のブラシホルダ２０′のブラシボックス部２０ａを圧入により装着してあると共に、該ブラシホルダ２０′の第２の接続端子片部２０ｃ′を切欠部８′に圧入により装着してある。この際、第２の接続端子片部２０ｃ′の先端部２０ｄが図示しない回路基板上の制御回路に接続されるようになっている。
【００１２】
また、一対のブラシホルダ２０，２０′の各ブラシボックス部２０ａの前側開口部より外に露出する各ブラシ１７は、コンミュテータ１３に接触するように圧縮コイルバネ１９で付勢されている。そして、上述のように、各ブラシ１７は各ブラシホルダ２０，２０′の第２の接続端子片部２０ｃ，２０ｃ′の各先端部２０ｄを介して図示しない回路基板上の制御回路にそれぞれ電気的に接続されている。この制御回路の一対のスイッチの各スイッチをオフからオンに切り替えると、電流がアーマチュア１０等に流れてアーマチュア軸１１が正逆回転するようになっている。
【００１３】
【特許文献１】特開２００２−１５９１５４号公報
【発明の開示】
【発明が解決しようとする課題】
【００１４】
しかしながら、前記従来の小型モータ１では、ブラシ１７を保持する各ブラシホルダ２０，２０′の全体を真鍮等の金属製としたことにより、その分、小型モータ１が高重量となると共にコスト高となった。また、回転するアーマチュア軸１１のコンミュテータ１３に接触するブラシ１７が金属製の各ブラシホルダ２０，２０′のブラシボックス部２０ａ内で振動等して作動音が発生し易かった。
【００１５】
そこで、本発明は、前記した課題を解決すべくなされたものであり、軽量化及び低コスト化を図ることができると共に、作動音の発生を確実に防止することができる小型モータを提供することを目的とする。
【課題を解決するための手段】
【００１６】
請求項１の発明は、通電により回転するアーマチュアを収容したモータケースと、このモータケースに結合され、かつ前記アーマチュアの回転が減速機構を介して伝達される出力軸を回転自在に支持したギヤケースと、前記アーマチュアのアーマチュア軸に取り付けられたコンミュテータに通電するブラシを保持し、前記ギヤケースに装着されるブラシホルダとを備え、前記ギヤケースに前記ブラシホルダを前記出力軸の軸方向より圧入する凹状のブラシホルダ装着部を一体形成した小型モータにおいて、前記ブラシホルダを、前記ブラシを収容すると共に、前記凹状のブラシホルダ装着部内に圧入される合成樹脂製で略箱状のブラシホルダ本体と、このブラシホルダ本体の後側開口部を覆うように着脱自在に取り付けられると共に、前記ブラシに一体成形されたピグテイルが接続される金属板状の接続端子とで構成し、前記ブラシホルダ本体の相対向する一対の側壁に前記ブラシホルダ装着部内への圧入用の凸部をそれぞれ一体形成したことを特徴とする。
【００１７】
請求項２の発明は、請求項１記載の小型モータであって、前記ブラシホルダ本体の相対向する一対の側壁の各外面の前記ブラシより上側に前記ブラシホルダ装着部内への圧入用の凸部をそれぞれ一体形成すると共に、該各側壁の該凸部の下側にスリットをそれぞれ形成したことを特徴とする。
【００１８】
請求項３の発明は、請求項１記載の小型モータであって、前記ブラシホルダ本体の相対向する一対の側壁の各内面に係止突起をそれぞれ一体形成し、この各係止突起に対向する前記接続端子に該各係止突起に係止されるフック部を突設したことを特徴とする。
【００１９】
請求項４の発明は、請求項１記載の小型モータであって、前記接続端子の一側部に前記ブラシホルダ本体より外側に延びる延長部を設け、この延長部を前記凹状のブラシホルダ装着部に設けた切欠部に挿入自在にすると共に、該延長部には、この該切欠部に対向する位置に該切欠部への圧入用の凸部を形成したことを特徴とする。
【発明の効果】
【００２０】
以上説明したように、請求項１の発明によれば、ブラシホルダを、ブラシを収容すると共に、ギヤケースの凹状のブラシホルダ装着部内に圧入される合成樹脂製で略箱状のブラシホルダ本体と、このブラシホルダ本体の後側開口部を覆うように着脱自在に取り付けられると共に、ブラシに一体成形されたピグテイルが接続される金属板状の接続端子とで構成し、ブラシホルダ本体の相対向する一対の側壁に前記ブラシホルダ装着部内への圧入用の凸部をそれぞれ一体形成したことにより、ギヤケースの凹状のブラシホルダ装着部内に合成樹脂製で略箱状のブラシホルダ本体を該ブラシホルダ本体の一対の側壁の各凸部を介してガタ付くことなく確実かつ簡単に装着することができ、作動音の発生を確実に防止することができる。また、ブラシホルダを、合成樹脂製で略箱状のブラシホルダ本体と、このブラシホルダ本体の後側開口部に取り付けられる金属板状の接続端子とに分けて構成したことにより、従来の全体が金属製のブラシホルダに比較して小型モータ全体の軽量化及び低コスト化を図ることができる。
【００２１】
請求項２の発明によれば、ブラシホルダ本体の相対向する一対の側壁の各外面のブラシより上側に前記ブラシホルダ装着部内への圧入用の凸部をそれぞれ一体形成すると共に、該各側壁の該凸部の下側にスリットをそれぞれ形成したことにより、凹状のブラシホルダ装着部内にブラシホルダ本体を確実に圧入して簡単に装着することができる。また、この圧入時に発生するブラシホルダ本体の変形をスリットで吸収することができ、ブラシホルダ本体内に収容されたブラシに無理な負荷がかかることはない。
【００２２】
請求項３の発明によれば、ブラシホルダ本体の相対向する一対の側壁の各内面に係止突起をそれぞれ一体形成し、この各係止突起に対向する接続端子に該各係止突起に係止されるフック部を突設したことにより、ブラシホルダ本体の一対の側壁間に接続端子を簡単かつ確実に取り付けることができる。
【００２３】
請求項４の発明によれば、接続端子の一側部にブラシホルダ本体より外側に延びる延長部を設け、この延長部を凹状のブラシホルダ装着部に設けた切欠部に挿入自在にすると共に、該延長部には、この該切欠部に対向する位置に該切欠部への圧入用の凸部を形成したことより、接続端子の延長部を切欠部にガタ付くことなく圧入することができ、振動等の発生を確実に防ぐことができる。
【発明を実施するための最良の形態】
【００２４】
以下、本発明の一実施形態を図面に基づいて説明する。
【００２５】
図１は本発明の一実施形態の小型モータのギヤケースを示す平面図、図２は図１中Ｘ部分の拡大平面図、図３は図１中Ｙ−Ｙ線に沿う断面図、図４（ａ）は同小型モータに用いられる一方のブラシホルダのブラシを保持した状態を示す左側面図、図４（ｂ）は同状態を示す平面図、図５（ａ）は同状態を示す正面図、図５（ｂ）は同状態を示す背面図、図６（ａ）は同小型モータに用いられる他方のブラシホルダのブラシを保持した状態を示す左側面図、図６（ｂ）は同状態を示す平面図、図７（ａ）は同状態を示す正面図、図７（ｂ）は同状態を示す背面図、図８（ａ）は同各ブラシホルダのブラシホルダ本体の左側面図、図８（ｂ）は同ブラシホルダ本体の平面図、図９（ａ）は同ブラシホルダ本体の正面図、図９（ｂ）は同ブラシホルダ本体の背面図、図１０（ａ）は同ブラシホルダ本体の右側面図、図１０（ｂ）は同ブラシホルダ本体の底面図、図１１（ａ）は同一方のブラシホルダの接続端子の左側面図、図１１（ｂ）は同一方のブラシホルダの接続端子の平面図、図１２（ａ）は同一方のブラシホルダの接続端子の正面図、図１２（ｂ）は同一方のブラシホルダの接続端子の背面図、図１３（ａ）は同一方のブラシホルダの接続端子の右側面図、図１３（ｂ）は同一方のブラシホルダの接続端子の底面図、図１４（ａ）は同他方のブラシホルダの接続端子の左側面図、図１４（ｂ）は同他方のブラシホルダの接続端子の平面図、図１５（ａ）は同他方のブラシホルダの接続端子の正面図、図１５（ｂ）は同他方のブラシホルダの接続端子の背面図、図１６（ａ）は同他方のブラシホルダの接続端子の右側面図、図１６（ｂ）は同他方のブラシホルダの接続端子の底面図、図１７同各ブラシホルダ本体と各接続端子の取り付け前の状態を示す断面図、図１８は図１７中Ｚ−Ｚ線に沿う断面図である。尚、図１９及び図２０の小型モータ１は援用する。
【００２６】
図１〜図３及び図１９，図２０に示すように、小型モータ１は、通電により回転するアーマチュア１０を収容した金属製で略円筒状のヨーク（モータケース）２と、このヨーク２のフランジ部２ｂにビス２ｅを介して締結固定され、かつアーマチュア１０の回転が減速機構Ｓを介して伝達される出力軸１５を回転自在に支持した合成樹脂製のギヤケース５と、アーマチュア１０のアーマチュア軸１１に取り付けられたコンミュテータ１３に通電するブラシ１７を保持し、ギヤケースに形成された凹状の各ブラシホルダ装着部７，７′及び切欠き部８，８′に出力軸１５の軸方向より圧入されて装着される一対のブラシホルダ３０，３０′とを備えている。
【００２７】
図１〜図５に示すように、一対のブラシホルダ３０，３０′のうちの一方のブラシホルダ３０は、ブラシ１７を収容すると共に、ギヤケース５の凹状のブラシホルダ装着部７内に圧入される合成樹脂製で略箱状のブラシホルダ本体３１と、このブラシホルダ本体３１の後側開口部を覆うように着脱自在に取り付けられると共に、ブラシ１７に一体成形されたピグテイル１８が接続される金属板状の接続端子３９とで構成されている。
【００２８】
図１〜図５，図８〜図１０及び図１７，図１８に示すように、ブラシホルダ本体３１は、底壁３２と、この底壁３２の前端より垂直に起立し、下側中央に矩形の開口部３３ａを有した前壁３３と、底壁３２の両側端より垂直に起立して相対向する一対の側壁３４，３４と、前壁３３の略中央より後方の一対の側壁３４，３４間に水平に延びる平面Ｕ字状の中間壁３５とで略箱状に形成してある。そして、ブラシホルダ本体３１の底壁３２と一対の側壁３４，３４と中間壁３５との間にブラシ１７を摺動自在に収容してある。さらに、図３に示すように、ブラシホルダ本体３１の前壁３３の開口部３３ａより外に露出するブラシ１７は、コンミュテータ１３に接触するように圧縮コイルバネ１９で付勢されるようになっている。
【００２９】
また、ブラシホルダ本体３１の一対の側壁３４，３４の各外面３４ａの上側には、凹状のブラシホルダ装着部７内への圧入用の凸部３６を水平に延びるようにそれぞれ一体突出形成してある。また、ブラシホルダ本体３１の一対の側壁３４，３４の各凸部３６の下側には矩形のスリット３７をそれぞれ形成してある。さらに、図１７，図１８に示すように、ブラシホルダ本体３４の一対の側壁３４，３４の各内面３４ｂには係止突起３８をそれぞれ一体突出形成してある。この各係止突起３８は傾斜面３８ａと係止面３８ｂとを有している。
【００３０】
図１〜図５及び図１１〜図１３，図１７に示すように、接続端子３９は、ブラシ１７に一体成形されたピグテイル１８が溶着等により接続される第１の接続片部３９ｂを折り曲げ形成すると共に、ブラシホルダ本体３１の各係止突起３８に係止されるＬ字状で一対のフック部３９ｃ，３９ｃを折り曲げ形成した略矩形板状の端子本体３９ａと、この端子本体３９ａの一側部にブラシホルダ本体３１より外側に延びるように一体形成された延長部３９ｄとを備えている。この接続端子３９の延長部３９ｄは凹状のブラシホルダ装着部７に設けた切欠部８に挿入されるようになっている。また、接続端子３９の延長部３９ｄの切欠部８に対向する位置には該切欠部８への圧入用の凸部３９ｅを一体形成してある。さらに、接続端子３９の延長部３９ｄの先端には、重ね折りされると共に垂直に折り曲げられた第２の接続片部３９ｆを形成してある。この第２の接続片部３９ｆは、接続端子３９の延長部３９ｄを切欠部８に装着した後で回路基板４０上の図示しない制御回路に接続されるようになっている。
【００３１】
図１〜図３及び図６，図７に示すように、一対のブラシホルダ３０，３０′のうちの他方のブラシホルダ３０′は、ブラシ１７を収容すると共に、ギヤケース５の凹状のブラシホルダ装着部７′内に圧入される合成樹脂製で略箱状のブラシホルダ本体３１と、このブラシホルダ本体３１の後側開口部を覆うように着脱自在に取り付けられると共に、ブラシ１７に一体成形されたピグテイル１８が接続される金属板状の接続端子３９′とで構成されている。
【００３２】
図１〜図３及び図６〜図１０に示すように、他方のブラシホルダ３０′のブラシホルダ本体３１は、一方のブラシホルダ３０のブラシホルダ本体３１と同じものを用いている。即ち、他方のブラシホルダ３０′のブラシホルダ本体３１は、底壁３２と、この底壁３２の前端より垂直に起立し、下側中央に矩形の開口部３３ａを有した前壁３３と、底壁３２の両側端より垂直に起立して相対向する一対の側壁３４，３４と、前壁３３の略中央より後方の一対の側壁３４，３４間に水平に延びる平面Ｕ字状の中間壁３５とで略箱状に形成してある。そして、ブラシホルダ本体３１の底壁３２と一対の側壁３４，３４と中間壁３５との間にブラシ１７を摺動自在に収容してある。さらに、図２に示すように、ブラシホルダ本体３１の前壁３３の開口部３３ａより外に露出するブラシ１７は、コンミュテータ１３に接触するように圧縮コイルバネ１９で付勢されるようになっている。
【００３３】
また、ブラシホルダ本体３１の一対の側壁３４，３４の各外面３４ａの上側には、凹状のブラシホルダ装着部７内への圧入用の凸部３６を水平に延びるようにそれぞれ一体突出形成してある。また、ブラシホルダ本体３１の一対の側壁３４，３４の各凸部３６の下側には矩形のスリット３７をそれぞれ形成してある。さらに、図１７，図１８に示すように、ブラシホルダ本体３４の一対の側壁３４，３４の各内面３４ｂには係止突起３８をそれぞれ一体突出形成してある。この各係止突起３８は傾斜面３８ａと係止面３８ｂとを有している。
【００３４】
図１〜図３，図６，図７及び図１４〜図１７に示すように、接続端子３９′は、ブラシ１７に一体成形されたピグテイル１８が溶着等により接続される第１の接続片部３９ｂを折り曲げ形成すると共に、ブラシホルダ本体３１の各係止突起３８に係止されるＬ字状で一対のフック部３９ｃ，３９ｃを折り曲げ形成した略矩形板状の端子本体３９ａと、この端子本体３９ａの一側部にブラシホルダ本体３１より外側に延びるように一体形成された延長部３９ｄ′とを備えている。この接続端子３９′の延長部３９ｄ′は一方のブラシホルダ３０の接続端子３９の延長部３９ｄより短尺に形成してあると共に、該延長部３９ｄ′は凹状のブラシホルダ装着部７′に設けた切欠部８′に挿入されるようになっている。また、接続端子３９′の延長部３９ｄ′の切欠部８′に対向する位置には該切欠部８′への圧入用の凸部３９ｅを一体形成してある。さらに、接続端子３９′の延長部３９ｄ′の先端には、重ね折りされた第２の接続片部３９ｆを形成してある。この第２の接続片部３９ｆは、接続端子３９′の延長部３９ｄ′を切欠部８′に装着した後で回路基板４０上の図示しない制御回路に接続されるようになっている。
【００３５】
以上実施形態の小型モータ１によれば、一対のブラシホルダ３０，３０′を、ブラシ１７を収容すると共に、ギヤケース５の凹状のブラシホルダ装着部７，７′内に圧入される合成樹脂製で略箱状のブラシホルダ本体３１，３１と、このブラシホルダ本体３１，３１の後側開口部を覆うように着脱自在に取り付けられると共に、ブラシ１７に一体成形されたピグテイル１８が接続される金属板状の接続端子３９，３９′とで構成し、ブラシホルダ本体３１の相対向する一対の側壁３４，３４の各外面３４ａに圧入用の凸部３６をそれぞれ一体突出形成したことにより、ギヤケース５の各凹状のブラシホルダ装着部７，７′内に合成樹脂製で略箱状のブラシホルダ本体３１を該ブラシホルダ本体３１の一対の側壁３４，３４の各凸部３６を介してガタ付くことなく確実かつ簡単に装着することができ、作動音の発生を確実に防止することができる。
【００３６】
特に、各ブラシホルダ本体３１の相対向する一対の側壁３４，３４の各外面３４ａのブラシ１７より上側に圧入用の凸部３６をそれぞれ一体形成すると共に、該各側壁３４の凸部３６の下側にスリット３７をそれぞれ形成したことにより、凹状のブラシホルダ装着部７，７′内に各ブラシホルダ本体３１を確実に圧入して簡単に装着することができる。また、この圧入時に発生する各ブラシホルダ本体３１の変形をスリット３７で確実に吸収することができ、各ブラシホルダ本体３１内に収容されたブラシ１７に無理な負荷がかかることはない。
【００３７】
また、各ブラシホルダ本体３１の相対向する一対の側壁３４，３４の各内面３４ｂに係止突起３８をそれぞれ一体突出形成し、この各係止突起３８に対向する各接続端子３９，３９′に該各係止突起３８に係止される一対のフック部３９ｃ，３９ｃを突設したことにより、各ブラシホルダ本体３１の一対の側壁３４，３４間に各接続端子３９，３９′を簡単かつ確実に取り付けることができる。
【００３８】
さらに、各接続端子３９，３９′の一側部に各ブラシホルダ本体３１より外側に延びる延長部３９ｄ，３９ｄ′を設け、この各延長部３９ｄ，３９ｄ′を各凹状のブラシホルダ装着部７，７′に設けた切欠部８，８′に挿入自在にすると共に、該各延長部３９ｄ，３９ｄ′の各切欠部８，８′に対向する位置に圧入用の凸部３９ｅをそれぞれ形成したことより、各接続端子３９，３９′の延長部３９ｄ，３９ｄ′を各切欠部８，８′にガタ付くことなく圧入することができ、振動等の発生を確実に防ぐことができる。
【００３９】
このように、一対のブラシホルダ３０，３０′を、合成樹脂製で略箱状のブラシホルダ本体３１，３１と、このブラシホルダ本体３１，３１の後側開口部に取り付けられる金属板状の接続端子３９，３９′とに分けて構成したことにより、従来の全体が金属製のブラシホルダ２０，２０′に比較して小型モータ１全体の軽量化及び低コスト化を図ることができる。
【図面の簡単な説明】
【００４０】
【図１】本発明の一実施形態の小型モータのギヤケースを示す平面図である。
【図２】図１中Ｘ部分の拡大平面図である。
【図３】図１中Ｙ−Ｙ線に沿う断面図である。
【図４】（ａ）は上記小型モータに用いられる一方のブラシホルダのブラシを保持した状態を示す左側面図、（ｂ）は同一方のブラシホルダのブラシを保持した状態を示す平面図である。
【図５】（ａ）は上記一方のブラシホルダのブラシを保持した状態を示す正面図、（ｂ）は同一方のブラシホルダのブラシを保持した状態を示す背面図である。
【図６】（ａ）は上記小型モータに用いられる他方のブラシホルダのブラシを保持した状態を示す左側面図、（ｂ）は同他方のブラシホルダのブラシを保持した状態を示す平面図である。
【図７】（ａ）は上記他方のブラシホルダのブラシを保持した状態を示す正面図、（ｂ）は同他方のブラシホルダのブラシを保持した状態を示す背面図である。
【図８】（ａ）は上記各ブラシホルダのブラシホルダ本体の左側面図、（ｂ）は同ブラシホルダ本体の平面図である。
【図９】（ａ）は上記ブラシホルダ本体の正面図、（ｂ）は同ブラシホルダ本体の背面図である。
【図１０】（ａ）は上記ブラシホルダ本体の右側面図、（ｂ）は同ブラシホルダ本体の底面図である。
【図１１】（ａ）は上記一方のブラシホルダの接続端子の左側面図、（ｂ）は同一方のブラシホルダの接続端子の平面図である。
【図１２】（ａ）は上記一方のブラシホルダの接続端子の正面図、（ｂ）は同一方のブラシホルダの接続端子の背面図である。
【図１３】（ａ）は上記一方のブラシホルダの接続端子の右側面図、（ｂ）は同一方のブラシホルダの接続端子の底面図である。
【図１４】（ａ）は上記他方のブラシホルダの接続端子の左側面図、（ｂ）は同他方のブラシホルダの接続端子の平面図である。
【図１５】（ａ）は上記他方のブラシホルダの接続端子の正面図、（ｂ）は同他方のブラシホルダの接続端子の背面図である。
【図１６】（ａ）は上記他方のブラシホルダの接続端子の右側面図、（ｂ）は同他方のブラシホルダの接続端子の底面図である。
【図１７】上記各ブラシホルダ本体と各接続端子の取り付け前の状態を示す断面図である。
【図１８】図１７中Ｚ−Ｚ線に沿う断面図である。
【図１９】小型モータの概略横断面図である。
【図２０】上記小型モータのホイールギヤまわりの縦断面図である。
【図２１】従来の小型モータにおける一対のブラシホルダの取付関係を説明する斜視図である。
【図２２】上記従来の小型モータの要部の縦断面図である。
【図２３】上記従来の小型モータに用いられる一方のブラシホルダを斜め上方から見た斜視図である。
【図２４】上記従来の一方のブラシホルダのブラシを保持した状態を斜め上方から見た斜視図である。
【図２５】上記従来の一方のブラシホルダのブラシを保持した状態を斜め下方から見た斜視である。
【図２６】上記従来の小型モータに用いられる他方のブラシホルダを斜め上方から見た斜視図である。
【図２７】上記従来の他方のブラシホルダのブラシを保持した状態を斜め上方から見た斜視図である。
【図２８】上記従来の他方のブラシホルダのブラシを保持した状態を斜め下方から見た斜視図である。
【符号の説明】
【００４１】
１  小型モータ
２  ヨーク（モータケース）
５  ギヤケース
７，７′  凹状のブラシホルダ装着部
８，８′  切欠部
１０  アーマチュア
１１  アーマチュア軸
１３  コンミュテータ
１５  出力軸
１７  ブラシ
１８  ピグテイル
３０，３０′  一対のブラシホルダ
３１  合成樹脂製のブラシホルダ本体
３４，３４  一対の側壁
３４ａ  外面
３４ｂ  内面
３６  圧入用の凸部
３７  スリット
３８  係止突起
３９，３９′  金属板状の接続端子
３９ｃ  フック部
３９ｄ，３９ｄ′  延長部
３９ｅ  圧入用の凸部
Ｓ  減速機構
【図１】
2006211857.tif 000003
【図２】
2006211857.tif 000004
【図３】
2006211857.tif 000005
【図４】
2006211857.tif 000006
【図５】
2006211857.tif 000007
【図６】
2006211857.tif 000008
【図７】
2006211857.tif 000009
【図８】
2006211857.tif 000010
【図９】
2006211857.tif 000011
【図１０】
2006211857.tif 000012
【図１１】
2006211857.tif 000013
【図１２】
2006211857.tif 000014
【図１３】
2006211857.tif 000015
【図１４】
2006211857.tif 000016
【図１５】
2006211857.tif 000017
【図１６】
2006211857.tif 000018
【図１７】
2006211857.tif 000019
【図１８】
2006211857.tif 000020
【図１９】
2006211857.tif 000021
【図２０】
2006211857.tif 000022
【図２１】
2006211857.tif 000023
【図２２】
2006211857.tif 000024
【図２３】
2006211857.tif 000025
【図２４】
2006211857.tif 000026
【図２５】
2006211857.tif 000027
【図２６】
2006211857.tif 000028
【図２７】
2006211857.tif 000029
【図２８】
2006211857.tif 000030